(57)【要約】本発明は、数個の格子要素を備え、これらの格子要素のそれぞれが、複数の平行な縦梁と、垂直支柱に取付または配置することができ、かつ縦梁に垂直に延びる、少なくとも１つの横梁と、から成る天井型枠システムに関する。格子要素の縦梁および横梁は、互いに堅固に連結される。標準格子要素は、縦梁の両端の領域に２つの横梁を備えており、横補正格子要素は、標準格子要素に対して内側にオフセットされた２つの横梁を備える。
2009500542.tif 000002
【特許請求の範囲】
【請求項１】
複数の格子要素（２，２’，６，６’，１２，２２，３０）を備えるスラブ型枠システムであって、
前記格子要素は、それぞれ、
互いに平行に延びる複数の縦梁（４，８，１４，２４，３２，３４）と、
垂直支柱（２８）に取付または配置されるとともに、前記縦梁（４，８，１４，２４，３２，３４）を横切るように延びる少なくとも１つの横梁（５，１０，１６，２６）と、
から成り、
前記格子要素（２，２’，６，６’，１２，２２）の前記縦梁（４，８，１４，２４，３２，３４）および前記横梁（５，１０，１６，２６）は、互いに堅固に接続され、標準格子要素（２，２’）は、縦梁（４）の両端部の領域に設けられた２つの横梁（５）を有し、横補正格子要素（６，６’，３０）は、前記標準格子要素（２，２’）と比較して内側にオフセットして配置された１つまたは２つの横梁（１０）を有することを特徴とするスラブ型枠システム。
【請求項２】
設置されたスラブ型枠では、横補正格子要素（６，６’，３０）の縦梁（８，３２，３４）
が、標準格子要素（２，２’）の隣り合う２つの縦梁（４）の間に位置することを特徴とする請求項１に記載のスラブ型枠システム。
【請求項３】
前記標準格子要素（２，２’）の前記縦梁（４）は、前記横補正格子要素（６，６’，３０）の縦梁と同じ長さを有することを特徴とする請求項１，２のいずれかに記載のスラブ型枠システム。
【請求項４】
前記格子要素（２，２’，６，６’，１２，２２，３０）の隣り合う縦梁（４，８，１４，２４，３２，３４）の間隔は、多くとも２０ｃｍで、前記縦梁（４，８，１４，２４，３２，３４）の幅の少なくとも１倍、好ましくは少なくとも３倍に達することを特徴とする請求項１〜３のいずれかに記載のスラブ型枠システム。
【請求項５】
縦補正格子要素（１２）は、前記縦梁（１４）の両端部の領域の一方にのみに１つまたは複数の横梁（１６）を有することを特徴とする請求項１〜４のいずれかに記載のスラブ型枠システム。
【請求項６】
設置されたスラブ型枠では、前記横補正格子要素（６，６’，３０）の前記縦梁（８，３２，３４）および前記縦補正格子要素（１２）の前記縦梁（１４）の両方が、前記標準格子要素（２，２’）の隣り合う２つの前記縦梁（４）の間に位置することを特徴とする請求項１〜５のいずれかに記載のスラブ型枠システム。
【請求項７】
設置されたスラブ型枠では、前記縦補正格子要素（１２）の１つまたは複数の横梁（１６）は、内側または外側に配置されることを特徴とする請求項１〜６のいずれかに記載のスラブ型枠システム。
【請求項８】
縦横補正格子要素（２２）は、前記縦梁（２４）の両端部の領域の一方のみに、前記縦補正格子要素（１２）と比較して内側にオフセットして配置された１つまたは複数の横梁（２６）を有することを特徴とする請求項１〜７のいずれかに記載のスラブ型枠システム。
【請求項９】
設置されたスラブ型枠では、前記横補正格子要素（６，６’，３０）の前記縦梁（８，３２，３４）と、前記縦補正格子要素（１２）の前記縦梁（１４）と、前記縦横補正格子要素（２２）の前記縦梁（２４）とは、前記標準格子要素（２，２’）の隣り合う前記２つの縦梁（４）の間に位置することを特徴とする請求項１〜８のいずれかに記載のスラブ型枠システム。
【請求項１０】
隣り合う２つの前記縦梁（４，８，１４，２４，３２，３４）の端部領域の間のバルク型枠支柱は、前記縦梁（４，８，１４，２４，３２，３４）に固定することができることを特徴とする請求項１〜９のいずれかに記載のスラブ型枠システム。
【請求項１１】
設置されたスラブ型枠の周縁領域、特に、周縁領域の周縁部は、該周縁領域の各々に垂直に延びる前記縦梁（４，８，１４，２４，３２，３４）によって形成されることを特徴とする請求項１〜１０のいずれかに記載のスラブ型枠システム。
【請求項１２】
少なくとも１つの横補正格子要素（３０）の縦梁（３４）は、標準格子要素（２）の２つの横梁（５）の間隔より長くなっており、前記横補正格子要素（３０）の各々の残りの縦梁（３２）は、前記標準格子要素（２）の前記２つの横梁（５）の間隔より短い寸法とされることを特徴とする請求項１〜１１のいずれかに記載のスラブ型枠システム。
【請求項１３】
前記横補正格子要素（３０）の完全に外側に配置された縦梁（３４）の１つのみは、該横補正格子要素（３０）の各々の残りの縦梁（３２）より長く形成されることを特徴とする請求項１２に記載のスラブ型枠システム。
【請求項１４】
前記横補正格子要素（３０）の各々の前記長い縦梁（３４）は、この両端部の領域で、前記縦梁（３４）に隣接する前記横補正格子要素（３０）の各々の前記縦梁（３２）の両端部から突出することを特徴とする請求項１２，１３のいずれかに記載のスラブ型枠システム。
【請求項１５】
前記横補正格子要素（３０）の各々の前記長い縦梁（３４）の縦方向範囲は、前記標準格子要素（２）の前記２つの横梁（５）の両側の間の間隔に実質的に一致することを特徴とする請求項１２〜１４のいずれかに記載のスラブ型枠システム。
【請求項１６】
前記長い縦梁（３４）は、前記残りの縦梁（３２）より、断面が小さく、特に、高さが低いことを特徴とする請求項１２〜１５のいずれかに記載のスラブ型枠システム。
【請求項１７】
前記長い縦梁（３４）は、長方形の断面を有し、特に、その対角寸法は、前記残りの縦梁（３２）の高さより小さいことを特徴とする請求項１２〜１６のいずれかに記載のスラブ型枠システム。
【請求項１８】
設置したスラブ型枠では、存在する各格子要素の全て（２，２’，６，６’，１２，２２）の横梁（５，１０，１６，２６）は、前記縦梁（４，８，１４，２４，３２，３４）の下に配置されることを特徴とする請求項１〜１７のいずれかに記載のスラブ型枠システム。
【発明の詳細な説明】
【技術分野】
【０００１】
本発明は、複数の格子要素を備え、これらの格子要素のそれぞれが、互いに平行に延びる複数の縦梁と、垂直支柱上に取付または配置することができ、かつ縦梁を横切って延びる少なくとも１つの横梁と、から成るスラブ型枠システムに関する。
【背景技術】
【０００２】
このタイプのスラブ型枠システムは、独国特許出願公開第ＤＥ １０２ ３４ ４４５ Ａ１明細書より知られている。このシステムにおいては、互いに平行に延びる複数の縦梁は、縦梁の相対的な位置が互いに固定されるように、縦梁の下側に設けられたレールによって互いに接続されて格子要素を形成する。このレールは、縦梁の端面の端部から比較的長い距離を置いて設けられる。
【０００３】
既知のスラブ型枠システムの組立においては、最初に、横梁を垂直支柱上に設置する。この横梁において横梁に垂直に延びる複数の縦梁を有する格子梁を形成し、この格子梁は、これらの縦梁と、これらの縦梁の下側に位置するレールと、を備える。これらの縦梁とレールが同様に上方から横梁に設置される。縦梁が横梁に固定して接続されず、レールが、縦梁の端面の端部から離間して設けられるという事実から見て、各場合において、格子要素の縦梁の部分が、共に噛み合う格子要素の２つの縦梁間に位置し、縦方向に隣り合う格子要素が互いに噛み合うことは可能である。この方法においては、縦補正は、前述のように格子要素が噛み合うことによって行うことができる。つまり、このスラブ型枠システムでは、個々の寸法は、縦梁の縦方向で適合させることができ、これらの個々の寸法は、格子要素の格子寸法とは別に選択することができる。
【発明の開示】
【発明が解決しようとする課題】
【０００４】
本発明の目的は、スラブ型枠が、縦梁方向に個々のサイズに適合させることができるだけでなく、縦梁に垂直な方向にも適合させることができ、特に、できるだけ早く、容易で、安全なスラブ型枠システムの組立および分解を保証することができるスラブ型枠システムを開発することである。
【課題を解決するための手段】
【０００５】
この目的は、本発明による請求項１の特徴、特に、格子要素の縦梁および横梁が、互いに堅固に連結され、標準格子要素は、縦梁の両端部の領域に設けられた２つの横梁を有しており、横補正格子要素は、標準格子要素と比較して内側にオフセットして配置された１つまたは２つの横梁を有するという特徴によって満足される。
【０００６】
従って、本発明によると、格子要素の縦梁は、既知の方法を用いて個別のレールによって互いに連結されるのではなく、格子要素の縦梁の連結は、縦梁に固定的に連結された１つまたは複数の横梁によって直接実現され、垂直支柱上への配置または取付に適している。従って、この点において、本発明によると、横梁および縦梁が、それぞれ、互いに固く連結されたユニットすなわち格子要素を形成するので、横梁および縦梁を別々に取り扱う必要がなく、既知のスラブ型枠システムと比べて取り扱う部品数が少なくなる。
【０００７】
さらに、本発明によるシステムの型枠では、少なくとも２つの異なる実施形態の格子要素が利用可能であり、前述の横補正格子要素と同様に、上に定義した標準格子要素と共に本明細書において詳細に実現される。全方向のサイズが標準格子要素の各格子寸法の整数倍に一致するスラブ型枠システムの設置において、互いに噛み合わない標準格子要素のみを用いることは可能である。しかし、例えば、格子寸法の外側に、縦梁に垂直に延びる方向に個々に寸法を作る必要がある場合、本発明によると、標準格子要素に加えて横補正格子要素も用いられる。この横補正格子要素は、１つまたは複数の横梁が、標準格子要素より内側にオフセットして配置されるという点で標準格子要素と異なる。この驚くほど簡単な方法によって、１つまたは複数の横補正格子要素の外側の縦梁が、それぞれ、標準格子要素の隣り合う２つの縦梁の間に位置するように、標準格子要素および横補正格子要素が互いに噛み合うことが可能になる。この場合、標準格子要素の縦梁と横補正格子要素の縦梁は全て、互いに平行に延び、縦方向を横切る方向に互いに離間して配置されるか、または縦方向の側面で互いに隣接して配置される。従って、横補正格子要素のそれぞれ所望の数の縦梁を、標準格子要素のそれぞれ隣り合う２つの縦梁の間に位置させることによって、縦梁に垂直に延びる横方向において、格子寸法に拘束されることなく、かつ個々に連続的に調整可能な寸法を実現することができる。標準格子要素と、横補正格子要素と、に互いに別々に横梁を取り付けることによって、互いに噛み合う標準格子要素および横補正格子要素の横梁同士が衝突しないことが保証される。互いに噛み合う全ての格子要素の横梁は、互いに垂直方向に離間して延びるか、互いに接触して延びる。
【０００８】
標準格子要素の縦梁は、横補正格子要素の縦梁と同じ長さを有することが好ましい。しかし、スラブ型枠システムの型枠内で、寸法が互いに異なる２つまたはそれ以上の種類つまりタイプの格子要素を容易に用いることができる。例えば、標準格子要素と、この標準格子要素の縦梁と同じ寸法の縦梁を有する少なくとも対応する横補正格子要素と、が各種類に関して存在する。例えば、２つの異なる種類の標準格子要素と、これに対応して形成された横補正格子要素と、を用いるこのタイプのシステムを図の記述の型枠内でより詳細に記述する。
【０００９】
あるタイプの標準格子要素の縦梁が、同じタイプの横補正格子要素の縦梁と同じ長さを有する場合、既に設置された標準格子要素に横補正格子要素を下から直線的に案内することは不可能であり、純粋に直線的に動く型枠内で標準格子要素と噛み合うことも不可能である。というのは、この場合、横補正格子要素の縦梁の両端部が、標準格子要素の横梁と衝突してしまうからである。この場合、本発明による横補正格子要素では、下から標準格子要素に「通す」。すなわち、最初に、横補正格子要素のそれぞれ所望の数の縦梁の一方の端面の端部を標準格子要素の各縦梁の間を通して下から案内し、標準格子要素の１つの横梁の上に位置するように内側から外側に移動させる。次に、横補正格子要素の縦梁の他方の端部が、標準格子要素の他方の横梁の上まで上昇して、この横梁で支持されることができるまで、この動きを縦梁の方向に続ける。この「通す」プロセスを、図の記述の型枠内でより詳しく説明する。
【００１０】
格子要素の隣り合う縦梁の間隔が多くとも２０ｃｍに達すると、さらに有利である。この間隔にすると、取り付けを行う人が隣り合う２つの縦梁間から落下することを最大限の安全性を持って回避することができ、本発明による組み立てられた格子要素が、落下に対して信頼できる安全性を備えることを示す。しかし、横補正格子要素の縦梁が標準格子要素の隣り合う２つの縦梁間を通ることができるように、隣り合う縦梁の間隔は、縦梁の幅と少なくとも同じ長さでなければならない。格子要素の隣り合う縦梁の間隔は、縦梁の幅の少なくとも２倍または３倍に達することが特に好ましい。この場合、縦補正格子要素および／または縦横補正格子要素と、さらに共働することが可能である。これに関しては、以下に、より詳細に考察する。通常は、隣り合う縦梁の間隔を縦梁の幅の少なくとも５倍まで増やすことも可能である。このように、全ての利用できる格子要素のさらなる組合せの可能性が実現する。
【００１１】
本発明によるスラブ型枠システムの型枠内で、標準格子要素および横補正格子要素に加えて、縦梁の両端部の領域の一方に１つまたは複数の横梁を有する前述の縦補正格子要素も利用できるようにすると特に好ましい。そうすると、スラブ型枠システムは、格子寸法に拘束されず、縦梁方向に個々に連続的に調整可能な寸法を有する縦補正格子要素を用いて組み立てることもできる。詳細には、１つまたは複数の横梁を縦梁の一方の端部領域のみに配置することによって、横梁のない方の縦補正格子要素の側部を押し、これをそれぞれ必要な経路にわたって、標準格子要素の隣り合う２つの縦梁または横補正格子要素の隣り合う２つの縦梁の間に位置させることが可能になる。横梁のない方の縦補正格子要素の端部が、標準格子要素の横梁または横補正格子要素の横梁上に少なくとも位置するまでは押さなければならない。縦補正格子要素は、最大限、これらの１つまたは複数の横梁が、標準格子要素の横梁または横補正格子要素の横梁に当接するまで押されることができる。縦梁の方向にそれぞれ個々の寸法を設定できるように、２つの横梁の取り得る間隔において、段階的にではなく任意の所望の挿入位置を選択することができる。
【００１２】
標準格子要素および／または標準格子要素に隣接する横補正格子要素が設置されると、縦補正格子要素を挿入することができる。縦補正格子要素の縦梁を内側に向けて、縦補正格子要素の１つまたは複数の横梁を、設置されたスラブ型枠を伴う型枠全体に対して外側に配置することが、この連結においては可能である。しかし、この配置に替えて、縦補正格子要素の縦梁が、設置された位置において、他方の格子要素の横梁から外側に最終的に突出するように、縦補正格子要素の横梁のない前方の端部を他方の格子要素の下側から、その横梁の上に位置するように内側から押し上げることも可能である。
【００１３】
縦補正格子要素と比較して内側にオフセットして配置された１つまたは複数の横梁を、縦梁の両端部の領域の一方にのみ有する縦横補正格子要素が、本発明によるスラブ型枠システムの型枠内で利用できるとさらに好ましい。これにより、このタイプの縦横補正格子要素を用いて、横補正および縦補正を同時に行うことができる。これは、図の記述の型枠内で図解する。
【００１４】
本発明によると、標準格子要素に加えて、横補正格子要素、縦補正格子要素および縦横補正格子要素を用いる場合、横補正格子要素の縦梁と、縦補正格子要素の縦梁と、縦横補正格子要素の縦梁とが、標準格子要素の隣り合う２つの縦梁の間に来る配置が、特定の設置状況と共に存在することがある。この場合、標準格子要素の隣り合う縦梁の間隔は、縦梁の幅の少なくとも３倍に達する必要がある。
【００１５】
全ての格子要素の隣り合う縦梁は、各場合で、互いに等しく離間すること、および／または全ての格子要素の縦梁は、互いに等しい長さを有すること、が通常好ましい。
【００１６】
隣り合う２つの縦梁の端部領域の間のバルク型枠支柱を縦梁に固定することができると、さらに有利である。これにより、実際の合板に垂直に延びるバルク型枠支柱上にバルク型枠要素を設置することができるので、合板に貼り付けられるコンクリートを受ける領域を結合し、フレームを作ることができる。設置されたスラブ型枠の周縁領域、特に周縁領域の周縁部が、実質的に各周縁領域に垂直に延びる縦梁のみによって形成されていると、このタイプのバルク型枠支柱は、特に簡単に設置することができる。この場合、バルク型枠支柱は、隣り合う縦梁間の任意の所望の位置に設置することができる。
【００１７】
少なくとも１つの横補正格子要素の１つの縦梁を、標準格子要素の２つの横梁の間隔より長くするとともに、各横補正格子要素の残りの縦梁を、標準格子要素の２つの横梁の間隔より短い寸法にすることが特に好ましい。横補正格子要素をこのように設計することによって、設置時、横補正格子要素を標準格子要素内に上から完全に通す必要がなくなる。横補正格子要素を長い縦梁を標準格子要素の横梁の上にして実質的に垂直に並ぶように位置させ、次に、横補正格子要素を引き続き連続的に垂直な位置で上方に枢動させ、長い方の縦梁の他方の端部が標準格子要素の他方の横梁の上に位置するように、横補正格子要素を位置させ、結果として、横補正格子要素が、垂直に吊り下げられた形で標準格子要素に連結される。次に、横補正格子要素を枢動させて、実質的に水平位置にすることができる。最後に述べた枢動の手順において、取り付けを行う人が最終的に再び頭上で作業しなければならない端部において、横補正格子要素の重量の大部分が、標準格子要素の横梁によって取り除かれているので、取り付けを行う人にとって取り扱いが大幅に簡単になる。次に、図９〜図１２を参照して、この原理をより詳細に説明する。
【００１８】
本発明の最後に述べた好ましい実施形態によると、完全に外側にある横補正格子要素の縦梁の１つのみを各横補正格子要素の残りの縦梁より長くすると、さらに有利である。この方法によって、標準格子要素に長い縦梁を通す場合、横補正格子要素を上昇させる高さを可能な限り低くすることができる。
【００１９】
横補正格子要素の長い縦梁は、両端部の領域で、この長い縦梁に隣接する各横補正格子要素の短い縦梁の両端部から突出することができる。従って、横補正格子要素を水平位置に枢動させる場合、横補正格子要素の残りの短い縦梁は、標準格子要素の横梁と衝突しないことが保証される。
【００２０】
横補正格子要素の長い縦梁の縦方向範囲は、標準格子要素の互いに離れた２つの横梁の外側の間隔に実質的に一致させることができる。この方法によって、横補正格子要素の長い縦梁は、組み立てられた状態において、通された標準格子要素の縦梁から突出しないようにすることができる。
【００２１】
長い縦梁は、横補正格子要素の残りの縦梁より、断面が小さく、特に、高さが低くなっており、断面が長方形であることが好ましい。長い縦梁の対角寸法は、残りの縦梁の高さより短いと特に有利である。こうすると、合板が標準格子要素上にあり、横補正格子要素がこの標準格子要素に連結されている、または連結される場合に、横補正格子要素の設置、取り外しが可能になる。すなわち、長い縦梁は、この縦梁の寸法のために、横補正格子要素が枢動する際に、この合板の下側に当接しない。
【００２２】
設置されたスラブ型枠では、各場合において各型枠にある全ての格子要素の横梁は、縦梁の下に配置されることが好ましい。これにより、縦梁の上側が、それぞれ、上方に延びる横梁に設けられる溝、凹み等によって妨げられない滑らかな合板との接触面を形成することが可能になる。従って、本発明によると、縦梁の上面のみが合板との接触面を形成するので、合板と横梁が直接接触することはない。
【００２３】
さらに、縦梁の下に横梁を配置することによって、補正格子要素の縦梁を標準格子要素の横梁に設置することができるので、横梁が、下から補正格子要素を支持することが可能になる。
【００２４】
本発明のこれ以外の好ましい実施形態は、請求項に記述する。
【００２５】
本発明を、実施形態を参照して以下に詳細に記述する。
【発明を実施するための最良の形態】
【００２６】
図１は、互いに平行に延び、かつ互いに離間した６つの縦梁４と、２つの横梁５と、から成る標準格子要素２を示している。２つの横梁５は、縦梁４に垂直に延び、各横梁５は、縦梁４の両端部の領域のそれぞれに固定される。
【００２７】
図２は、横補正格子要素６を示す。同様に、横補正格子要素６も互いに平行に延び、かつ互いに離間した６つの縦梁８と、これらの縦梁８に垂直に延びる２つの横梁１０と、から成る。しかし、横補正格子要素の横梁１０は、図１の標準格子要素２と比較して内側にオフセットして配置されており、この結果、横梁１０は、縦梁８の端面の端部領域に位置しない。この横梁１０のオフセットは、標準格子要素２の横梁５の幅よりずっと大きい。このオフセットは、横梁５の幅の約３倍（例えば、約１３ｃｍ）に達することが好ましい。
【００２８】
図２の配置に替えて、前述の方法で内側にオフセットして配置される１つの横梁のみを設けることも可能である。このような単一の横梁は、特に、縦梁８の中央に設けることもできる。
【００２９】
図３は、縦補正格子要素１２を示す。同様に、縦補正格子要素１２も互いに平行に延び、かつ互いに離間した６つの縦梁１４と、これらの縦梁１４に垂直に延びる２つの横梁１６と、から成る。しかし、この場合、２つの横梁１６は、縦梁１４の同じ端面の端部領域に配置され、縦梁１４の反対側の端面の端部領域には横梁が存在しない。図３のように２つの横梁１６を用いる代わりに、横梁１６を１つだけ用いてもよい。しかし、２つの横梁１６を用いる実施形態は、縦補正格子要素１２の安定性に有利である。
【００３０】
隣り合う縦梁４，８，１４の互いの間隔は、全ての格子要素２，６，１２で同じサイズである。同様に、全ての格子要素２，６，１２の縦梁４，８，１４は同じ長さである。この結果、各場合において、互いに等しいサイズの面を、それぞれ、格子要素２，６，１２の縦梁４，８，１４の全体によって覆うことができる。従って、最終的に、格子要素２，６，１２は全て、互いに同じサイズを有する。
【００３１】
格子要素２，６，１２における組み立てられた状態の縦梁４，８，１４の上面は、最終的に貼り付けられる合板との接触面を形成する。合板は、例えば、木被覆（ｗｏｏｄ  ｓｈｅａｔｈｉｎｇ）から成り、縦梁４，８，１４の上面に適切な方法で連結される。
【００３２】
各開口部分つまり中空部分は、縦梁４，８，１４および横梁５，１０，１６の両方に用いることができ、縦梁４，８，１４の全てに同じ断面形状を用いることができる。同様に、特定の断面形状も横梁５，１０，１６の全てに用いることができる。しかし、縦梁４，８，１４の断面形状は、横梁５，１０，１６の断面形状と異なる場合がある。
【００３３】
格子要素２，６，１２の全てにおいて、横梁５，１０，１６の各々は、スラブ型枠が完全に組み立てられた状態で縦梁４，８，１４の下に位置する。つまり、縦梁４，８，１４は、横梁５，１０，１６と異なる平面に延びるが、これらの２つの平面は、互いに隣り合う。
【００３４】
縦梁４，８，１４および横梁５，１０，１６は、互いに、例えば、溶接、ねじ留めまたはリベット留めすることができる。
【００３５】
図４ａのように、横補正格子要素６を既に設置された標準格子要素２に連結する場合、横補正格子要素６の所望の数の縦梁８を、それぞれ、標準格子要素２の各隣り合う縦梁４の間に、横補正格子要素６の縦梁８に通された端部が標準格子要素２の横梁５の上に位置するまで通す。この位置を図４ａに示す。この位置から始めて、横補正格子要素６の縦梁８が標準格子要素２の縦梁４と同じ平面に位置するまで、横梁５の領域に延びる軸を中心に矢印の方向に上方に横補正格子要素６を枢動させることができる。この位置を図４ｂに示す。２つの格子要素２，６の縦梁４，８が、この組立段階で互いに端部が一致せず、横補正格子要素６の縦梁８の端部が、標準格子要素２の縦梁４の端部から突出することが、図４ｂより明らかである。
【００３６】
図４ｂに示された位置から始まって、格子要素２，６の両方における縦梁４，８の端面が図４ｃに示すように互いに一列に並ぶまで、横補正格子要素６は、図４ｂの矢印の方向に直線的に動かされる。横補正格子要素６の横梁１０を内側にオフセットした配置によって、格子要素２，６の両方の横梁５，１０が互いに衝突することなく、図４に関して記述した横補正格子要素６を標準格子要素２に通すことが可能になる。
【００３７】
図５は、サイズの異なる２種類の格子要素を用いる、本発明による完全に組み立てられたスラブ型枠システムの平面図を示す。格子要素の縦梁が互いに異なる長さを有するという点で、一方のサイズの格子要素２，６，１２と、他方のサイズの格子要素２’，６’が実現される。具体的には、格子要素２’，６’の縦梁の長さは、格子要素２，６，１２の縦梁の長さの約半分である。隣り合う縦梁の間隔は、全ての格子要素２，６，１２，２’，６’で同じである。格子要素２，６，１２，２’，６’は全て、それぞれ、６つの縦梁を有し、格子要素２，６，１２，２’，６’は全て、等しい幅を有する。
【００３８】
図５のスラブ型枠は、壁１８に隣接し、この壁１８は、それぞれ互いに直角に配置された合計７つの部分から成る。さらに、図示のスラブ型枠システムは、壁１８から離間して配置された２つの自立型（ｆｒｅｅｓｔａｎｄｉｎｇ）の柱２０，２０’に隣接する。
【００３９】
図５のスラブ型枠システムの構造をより簡単に説明するために、スラブ型枠システムの互いに隣り合う周縁部分を一連の文字で示し、以下で参照する。
【００４０】
図５のスラブ型枠システムのベースは、４×４の配列で配置された互いに隣り合う合計１６の標準格子要素２で形成されるので、図５のスラブ型枠システムの表面の大部分を覆う。これらの標準格子要素２の５つは、周縁部分Ａ，Ｂを形成する。
【００４１】
周縁部分Ｃの領域には、縦梁の方向に互いに隣り合う２つの横補正格子要素６が設けられ、それぞれ、図４の横補正格子要素６が標準格子要素２に通されるので標準格子要素２と噛み合う。両方の横補正格子要素６の２つの縦梁は、各標準格子要素２の隣り合う縦梁の間に位置する。
【００４２】
周縁部分Ｄ，Ｆは、縦補正格子要素１２によって形成され、この縦補正格子要素１２は、縦補正格子要素１２の縦梁の自由端部が、横補正格子要素６の横梁で支持されるように横補正格子要素６内に挿入される。縦補正格子要素１２の３つの縦梁は、横補正格子要素６のそれぞれ隣り合う２つの縦梁の間に位置する。縦補正格子要素１２の他の３つの縦梁は、それぞれ、横補正格子要素６の縦梁と、この横補正格子要素６と噛み合う標準格子要素２の縦梁との間に位置し、これらの横梁によって縦補正格子要素１２の縦梁は支持される。
【００４３】
周縁部分Ｇは、他の縦補正格子要素１２によって形成される。この縦補正格子要素１２は、２つの縦梁がＤの縦補正格子要素１２内に押されて、周縁部分で、２つの縦補正格子要素１２の横梁が互いに部分的に接触する。周縁部分Ｇを形成する縦補正格子要素１２の自由端部は、周縁部分Ｃの一部を形成する横補正格子要素６と噛み合う標準格子要素２の横梁で支持される。
【００４４】
周縁部分Ｈは、別の２つの縦補正格子要素１２によって形成される。この縦補正格子要素１２は、互いに横方向に隣り合う２つの標準格子要素２内に押されて、この縦補正格子要素１２の縦梁の大部分が、この縦補正格子要素１２が挿入された標準格子要素２の２つの横梁の間に位置する。
【００４５】
別の縦補正格子要素１２が比較的短い周縁部分Ｉを形成し、同様に、別の縦補正格子要素１２が周縁部分Ｋを形成する。周縁部分Ｈ，Ｉ，Ｋを形成する縦補正格子要素１２の組立において、最初に、周縁部分Ｋを形成する縦補正格子要素１２、次に、周縁部分Ｉを形成する縦補正格子要素１２、最後に、周縁部分Ｈを形成する２つの縦補正格子要素１２を、それぞれ、既に組み立てられた格子要素２に挿入するように進める必要がある。
【００４６】
これまでに説明した周縁部分Ａ〜Ｋは、第１のタイプの格子要素に属する格子要素２，６，１２によって形成される。一方、次に述べる周縁部分Ｌ〜Ｑは、第２のタイプの格子要素に属する格子要素２’，６’によって形成される。第２のタイプの格子要素は、各縦梁の長さを除いては、第１のタイプの格子要素に対応する。第１のタイプの格子要素２，６，１２の縦梁は、第２のタイプの格子要素２’，６’の縦梁の約２倍の長さである。
【００４７】
周縁部分Ｌ〜Ｐを形成する格子要素２’，６’においては、縦梁は、周縁部分Ａ〜Ｋを形成する格子要素２，６，１２の縦梁に垂直に延びる。しかし、格子要素２’，６’は、格子要素２，１２に直接隣接するので、第１のタイプの格子要素２，１２と、第２のタイプの格子要素２’，６’との間に隙間はない。
【００４８】
周縁部分Ｍは、２つの標準格子要素２’によって形成され、各横補正格子要素６’が、この２つの標準格子要素２’のそれぞれに既に説明した方法で通される。周縁部分Ｌを形成する横補正格子要素６’は、この横補正格子要素６’の３つの縦梁が、標準格子要素２’の各縦梁の間に位置するように対応する標準格子要素２’に通される。一方、概略的に図示した柱２０’に隣接する、比較的短い周縁部分Ｎを形成する横補正格子要素６’は、合計５つの縦梁が標準格子要素２’の各縦梁の間に位置するように配置される。
【００４９】
図５に示すスラブ型枠において、格子要素の隣り合う２つの縦梁の間隔は、縦梁の幅の３倍に相当するので、最終的に横補正を細かく調整するために、標準格子要素に通された横補正格子要素を縦梁に垂直に延びる方向に最大で縦梁の幅の２倍だけ移動させることができる。従って、例えば、図５から分かるように、周縁部分Ｎを形成する横補正格子要素６’の縦梁は、各標準格子要素２’の隣り合う２つの縦梁のほぼ中央に位置し、周縁部分Ｌを形成する横補正要素６’の縦梁は、関連する標準格子要素２’の各縦梁に直接接触する。
【００５０】
周縁部分Ｐは、横梁が端面に当接する５つの互いに直接隣り合う標準格子要素２’によって形成される。周縁部分Ｏを形成する横補正格子要素６’は、柱２０’の最も近くに配置された標準格子要素２’に同様に通される。
【００５１】
別の柱２０に隣接する周縁部分Ｑは、第２のタイプの別の横補正格子要素６’によって最後に形成されて、第１のタイプの標準格子要素２に通される。このことから、第１のタイプの標準格子要素に第２のタイプの横補正格子要素を導入することも可能なことが分かる。
【００５２】
図６ａおよび図６ｂは、既に組み立てられた標準格子要素２を示す。この標準格子要素２は、縦梁４および横梁５を有し、図６ａによると、縦補正格子要素１２が、これらの縦梁４および横梁５に以下のように下から通される。すなわち、縦補正格子要素１２の縦梁１４の自由端部を最初に標準格子要素２の縦梁４の間に挿入し、次に、標準格子要素２の横梁５の上に押し出し、最後に、図６ｂの縦補正格子要素１２の縦梁１４が、最終的に、標準格子要素２の縦梁４から突出するように枢動される。図６ｂの完全に組み立てられた位置では、縦補正格子要素１２の横梁１６の上側が、標準格子要素２の縦梁４の下側に接触する。この方法においては、縦梁４から突出する縦補正格子要素１２の縦梁１４の端部に圧力がかかるので、縦梁１４が傾かないことが保証される。
【００５３】
図７は、図３の縦補正格子要素１２の設計と実質的に一致する設計の縦横補正格子要素２２を示す。唯一の相違は、縦横補正格子要素の横梁２６が、縦補正格子要素１２に対して内側にオフセットして配置されることで、このオフセットは、横補正格子要素の横梁１０が内側にオフセットされる寸法に一致させることができることである。あるいは、縦横補正格子要素２２は、１つの横梁２６のみで取り付けることもできる。
【００５４】
図８は、図７の縦横補正格子要素２２を用いて、縦補正および横補正を同時に実現することができる方法を示す。
【００５５】
図８によると、縦補正格子要素１２の縦梁は、標準格子要素２内に挿入されて、縦補正格子要素１２の縦梁の長い領域が、標準格子要素２の縦梁間に位置する。さらに、横補正格子要素６は、横補正格子要素６の２つの縦梁が標準格子要素２の縦梁間のほぼ中央に位置するように標準格子要素２に通される。従って、縦補正格子要素１２によって、標準格子要素２の縦梁の方向に個々の寸法が実現され、縦梁に垂直な個々の寸法は、横補正格子要素６を用いて実現される。
【００５６】
個々の長さと個々の幅を有する全体として長方形の格子領域を最終的に提供するために、図８で既に説明した配置に縦横補正格子要素２２を挿入することも必要である。縦横補正格子要素２２の縦梁の自由端部は、最初に、縦補正格子要素１２の縦梁間に下から挿入され、次に、標準格子要素２の横梁および横補正格子要素６の横梁にわたって、縦横補正格子要素２２が、既に組み立てられた格子要素２，６，１２が配置される平面に枢動されることができるまで押される。この枢動の後、縦横補正格子要素２２の横梁は、縦補正格子要素１２の横梁に部分的に接触する。縦横補正格子要素２２の横梁が縦補正格子要素１２の横梁に対して内側にオフセットされるので、それぞれの縦梁が互いに一列に並ぶように縦補正格子要素１２および縦横補正格子要素２２を配置することが可能である。
【００５７】
図９は、４つのコーナー領域の底部をそれぞれ１つの垂直支柱２８によって支持された標準格子要素２の３次元図である。従って、図９の標準格子要素２は、水平方向に位置する。
【００５８】
さらに、図９は、好ましい横補正格子要素３０を示す。この横補正格子要素３０は、６つの短い縦梁３２と、１つの長い縦梁３４と、下から縦梁３２，３４を支持する２つの横梁１０と、から成る。横梁１０は、縦梁３２，３４に垂直に延び、短い縦梁３２の端面に対して幾らか内側にオフセットして配置される。短い縦梁３２は、標準格子要素２の横梁５の互いに向き合う内側面の間隔より寸法が短い。長い縦梁３４は、標準格子要素２の縦梁４とほぼ同じ長さを有する。
【００５９】
前述した配置と寸法に基づくと、横補正格子要素３０の図９に示すほぼ垂直の配列で、長い縦梁３４の一方の端部を標準格子要素２の横梁５の上に位置させることが可能になる。
【００６０】
次に、ほぼ垂直な配列で上方に横補正格子要素３０を枢動させることができ、その後、図１０に示すように、縦梁３４の他方の端部が標準格子要素２の他方の横梁５の上に来るまで、長い縦梁３４の縦方向に動かすことができる。この位置で、横補正格子要素３０の縦梁３４は、標準格子要素２に実質的に垂直に下方に垂れ下がる。
【００６１】
図１０の位置から始まって、次に、横補正格子要素３０は、図１１に描かれた矢印が示すように、縦梁３４の縦軸を中心に上方に枢動することができる。図１１の矢印の方向に横補正格子要素３０を上方に引き続き枢動させると、横補正格子要素２の横梁１０の上面は、最終的に、標準格子要素２の縦梁４の下面に当接して、標準格子要素２と横補正格子要素３０との両方が、実質的に水平に並んだ位置で共通の平面に位置する。
【００６２】
図１２に最終位置を示す。これによると、３つの横補正格子要素３０は、３つの標準格子要素２と連結され、この連結は、図９〜図１１に関して記述した方法のステップに従って達成された。
【００６３】
最後に記述した連結手順は、図２の横補正格子要素６の全ての縦梁８を上から同時に通すより、取り付けを行う人にとって取り扱いが簡単であることは容易に分かる。
【図面の簡単な説明】
【００６４】
【図１】標準格子要素の３次元図である。
【図２】横補正格子要素の３次元図である。
【図３】縦補正格子要素の３次元図である。
【図４ａ】標準格子要素に横補正格子要素を組み立てる方法のステップを概略的に示した図である。
【図４ｂ】標準格子要素に横補正格子要素を組み立てる方法のステップを概略的に示した図である。
【図４ｃ】標準格子要素に横補正格子要素を組み立てる方法のステップを概略的に示した図である。
【図５】本発明による完全に組み立てられたスラブ型枠システムの平面図である。
【図６ａ】縦補正要素に連結される標準格子要素の組立完了前の３次元図である。
【図６ｂ】組立完了後の図６ａの図である。
【図７】縦横補正格子要素の３次元図である。
【図８】互いに異なり、かつ互いに連結された４つの格子要素の平面図である。
【図９】好ましい実施形態による、第１の組立ステップにおける、標準格子要素に連結される横補正格子要素の３次元図である。
【図１０】第２の組立ステップにおける図９の図である。
【図１１】第３の組立ステップにおける図９の図である。
【図１２】図９〜図１１に従って、互いに連結された６つの標準格子要素と３つの横補正格子要素との配置の平面図である。
【符号の説明】
【００６５】
２  標準格子要素
２’標準格子要素
４  標準格子要素の縦梁
５  標準格子要素の横梁
６  横補正格子要素
６’横補正格子要素
８  横補正格子要素の縦梁
１０  横補正格子要素の横梁
１２  縦補正格子要素
１４  縦補正格子要素の縦梁
１６  縦補正格子要素の横梁
１８  壁
２０  柱
２０’柱
２２  縦横補正格子要素
２４  縦横補正格子要素の縦梁
２６  縦横補正格子要素の横梁
２８  垂直支柱
３０  横補正格子要素
３２  短い縦梁
３４  長い縦梁
【図１】
2009500542.tif 000003
【図２】
2009500542.tif 000004
【図３】
2009500542.tif 000005
【図４ａ】
2009500542.tif 000006
【図４ｂ】
2009500542.tif 000007
【図４ｃ】
2009500542.tif 000008
【図５】
2009500542.tif 000009
【図６ａ】
2009500542.tif 000010
【図６ｂ】
2009500542.tif 000011
【図７】
2009500542.tif 000012
【図８】
2009500542.tif 000013
【図９】
2009500542.tif 000014
【図１０】
2009500542.tif 000015
【図１１】
2009500542.tif 000016
【図１２】
2009500542.tif 000017
【国際調査報告】
2009500542.tif 000018
2009500542.tif 000019
2009500542.tif 000020
2009500542.tif 000021
2009500542.tif 000022
2009500542.tif 000023